(57)【要約】【課題】基板の外形部分に発生した部分的な欠陥を容易に検出することができる表示パネル、及びその製造方法を提供する。【解決手段】カラーフィルタ基板及びアクティブマトリクス基板を備えるとともに、情報を表示する液晶パネル（表示パネル）において、カラーフィルタ基板には、その外周から所定の寸法内側に設けられるとともに、当該カラーフィルタ基板の外形を判定可能な判定用枠線３０ａ、３０ｂ、３０ｃが形成され、アクティブマトリクス基板には、その外周から所定の寸法内側に設けられるとともに、当該アクティブマトリクス基板の外形を判定可能な判定用枠線３１ａ、３１ｂ、３１ｃが形成されている。【選択図】図４
2011059413.tif 000002
【特許請求の範囲】
【請求項１】
基板を備えるとともに、情報を表示する表示パネルであって、
前記基板には、その外周から所定の寸法内側に設けられるとともに、当該基板の外形を判定可能な判定用枠線が形成されている、
ことを特徴とする表示パネル。
【請求項２】
前記基板には、その外周からの寸法が互いに異なる複数の前記判定用枠線が形成されている請求項１に記載の表示パネル。
【請求項３】
前記判定用枠線は、前記基板上に設置される設置物と同一材料によって形成されている請求項１または２に記載の表示パネル。
【請求項４】
基板を備えるとともに、情報を表示する表示パネルの製造方法であって、
前記基板に対して、その外周から所定の寸法内側に、当該基板の外形を判定可能な判定用枠線を形成する形成工程と、
前記形成工程で形成された前記判定用枠線を使用して、前記基板の外形を検査する検査工程と
を備えていることを特徴とする表示パネルの製造方法。
【請求項５】
前記形成工程では、前記判定用枠線が前記基板上に設置される設置物と同一材料で、当該設置物と同時に形成される請求項４に記載の表示パネルの製造方法。
【発明の詳細な説明】
【技術分野】
【０００１】
本発明は、文字や画像等の情報を表示する表示パネル、及びその製造方法に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光する照明装置（バックライト）と、照明装置に設けられた光源からの光に対してシャッターの役割を果たすことで所望画像等の情報を表示する表示パネルとしての液晶パネルとが含まれている。
【０００３】
また、上記のような液晶パネルは、薄膜トランジスタなどのスイッチング素子等が設置されたアクティブマトリクス基板と、ＲＧＢのカラーフィルタ層が設置されたカラーフィルタ基板と、これらのアクティブマトリクス基板とカラーフィルタ基板との間に狭持された液晶層を備えている。また、アクティブマトリクス基板及びカラーフィルタ基板は、液晶パネルの一対の基板を構成しており、アクティブマトリクス基板及びカラーフィルタ基板には、各々透明なガラス材または合成樹脂材が用いられている。
【０００４】
また、上記のような液晶パネルでは、通常、アクティブマトリクス基板及びカラーフィルタ基板の各々において、マザー基板（マザーガラス）に対して、複数の液晶パネル分のアクティブマトリクス基板またはカラーフィルタ基板を形成した後、スクライブ分断などによって分断することにより、１つ単位の液晶パネル分のアクティブマトリクス基板またはカラーフィルタ基板を製造していた。このため、液晶パネルでは、アクティブマトリクス基板及びカラーフィルタ基板の各々において、その外形寸法が適切なものかどうかを判定する必要が生じた。
【０００５】
そこで、従来の表示パネルには、例えば下記特許文献１に記載されているように、アクティブマトリクス基板及びカラーフィルタ基板の各基板において、切断線に平行に、かつ、その内側及び外側に外形寸法判定用電極に接続された金属配線を部分的に配設する。そして、この従来の表示パネルでは、上記電極に探針を当てて通電することにより、基板の外形寸法の合否を電気的に判定可能とされていた。
【先行技術文献】
【特許文献】
【０００６】
【特許文献１】特開平５−８８１３４号公報
【発明の概要】
【発明が解決しようとする課題】
【０００７】
しかしながら、上記のような従来の表示パネルでは、その基板の外周部分での部分的な欠けや割れ、あるいはバリなどの部分的な欠陥が生じたときに、これらの欠陥を検出できないことがあった。具体的にいえば、従来の表示パネルでは、切断線の内側及び外側に外形寸法判定用電極に接続された金属配線を部分的に配設していただけであるので、上記のような部分的な欠陥が、金属配線が配設されていない、基板の外周部分に発生したときに、この発生した欠陥を検出することができなかった。
【０００８】
上記の課題を鑑み、本発明は、基板の外形部分に発生した部分的な欠陥を容易に検出することができる表示パネル、及びその製造方法を提供することを目的とする。
【課題を解決するための手段】
【０００９】
上記の目的を達成するために、本発明にかかる表示パネルは、基板を備えるとともに、情報を表示する表示パネルであって、
前記基板には、その外周から所定の寸法内側に設けられるとともに、当該基板の外形を判定可能な判定用枠線が形成されていることを特徴とするものである。
【００１０】
上記のように構成された表示パネルにおける基板では、その外周から所定の寸法内側に設けられるとともに、当該基板の外形を判定可能な判定用枠線が形成されている。これにより、上記従来例と異なり、基板の外形部分に発生した部分的な欠陥を容易に検出することができる。
【００１１】
また、上記表示パネルにおいて、前記基板には、その外周からの寸法が互いに異なる複数の前記判定用枠線が形成されていることが好ましい。
【００１２】
この場合、基板の外形検査を高精度に行うことができる。
【００１３】
また、上記表示パネルにおいて、前記判定用枠線は、前記基板上に設置される設置物と同一材料によって形成されていることが好ましい。
【００１４】
この場合、判定用枠線と設置物とを同時に形成することができ、製造簡単な表示パネルを構成することができる。
【００１５】
また、本発明の表示パネルの製造方法は、基板を備えるとともに、情報を表示する表示パネルの製造方法であって、
前記基板に対して、その外周から所定の寸法内側に、当該基板の外形を判定可能な判定用枠線を形成する形成工程と、
前記形成工程で形成された前記判定用枠線を使用して、前記基板の外形を検査する検査工程とを備えていることを特徴とするものである。
【００１６】
上記のように構成された表示パネルの製造方法では、上記検査工程において、基板の外形が形成工程で形成された判定用枠線を使用して行われるので、上記従来例と異なり、当該検査工程において、基板の外形部分に発生した部分的な欠陥を容易に検出することができる。
【００１７】
また、上記表示パネルの製造方法において、前記形成工程では、前記判定用枠線が前記基板上に設置される設置物と同一材料で、当該設置物と同時に形成されることが好ましい。
【００１８】
この場合、上記形成工程において、設置物の設置工程を含ませることができ、表示パネルの製造工程を簡略化することができる。
【発明の効果】
【００１９】
本発明によれば、基板の外形部分に発生した部分的な欠陥を容易に検出することができる表示パネル、及びその製造方法を提供することが可能となる。
【図面の簡単な説明】
【００２０】
【図１】図１は、本発明の一実施形態にかかる液晶表示装置を説明する図である。
【図２】図２は、図１に示した液晶パネルの構成を説明する図である。
【図３】図３は、上記液晶パネルの要部構成を示す断面図である。
【図４】図４（ａ）は、図１に示したカラーフィルタ基板に設けられた判定用枠線の具体例を示す平面図であり、図４（ｂ）は、図１に示したアクティブマトリクス基板に設けられた判定用枠線の具体例を示す平面図である。
【図５】図５は、上記液晶パネルの製造方法の要部工程を示すフローチャートである。
【発明を実施するための形態】
【００２１】
以下、本発明の表示パネル、及び製造方法の好ましい実施形態について、図面を参照しながら説明する。なお、以下の説明では、本発明を液晶パネルのカラーフィルタ基板及びアクティブマトリクス基板に適用した場合を例示して説明する。また、各図中の構成部材の寸法は、実際の構成部材の寸法及び各構成部材の寸法比率等を忠実に表したものではない。
【００２２】
図１は、本発明の一実施形態にかかる液晶表示装置を説明する図である。図１において、本実施形態の液晶表示装置１は、図１の上側が視認側（表示面側）として設置される本発明の液晶パネル２と、液晶パネル２の非表示面側（図１の下側）に配置されて、当該液晶パネル２を照明する照明光を発生するバックライト装置３とが設けられている。
【００２３】
液晶パネル２は、一対の基板を構成するカラーフィルタ基板４及びアクティブマトリクス基板５と、カラーフィルタ基板４及びアクティブマトリクス基板５の各外側表面にそれぞれ設けられた偏光板６、７とを備えている。カラーフィルタ基板４とアクティブマトリクス基板５との間には、後述の液晶層が狭持されている。また、カラーフィルタ基板４及びアクティブマトリクス基板５には、平板状の透明なガラス材またはアクリル樹脂などの透明な合成樹脂が使用されている。偏光板６、７には、ＴＡＣ（トリアセチルセルロース）またはＰＶＡ（ポリビニルアルコール）などの樹脂フィルムが使用されており、液晶パネル２に設けられた表示面の有効表示領域を少なくとも覆うように対応するカラーフィルタ基板４またはアクティブマトリクス基板５に貼り合わせられている。
【００２４】
また、アクティブマトリクス基板５は、上記一対の基板の一方の基板を構成するものであり、アクティブマトリクス基板５では、液晶パネル２の表示面に含まれる複数の画素に応じて、画素電極や薄膜トランジスタ（ＴＦＴ：Thin Film Transistor）などが上記液晶層との間に形成されている（詳細は後述。）。一方、カラーフィルタ基板４は、一対の基板の他方の基板を構成するものであり、カラーフィルタ基板４には、図示しないカラーフィルタや対向電極などが上記液晶層との間に形成されている。
【００２５】
さらに、カラーフィルタ基板４及びアクティブマトリクス基板５の各々の基板では、後に詳述するように、当該基板の外形を判定可能な判定用枠線が形成されており、当該基板の外形（外観）検査を効率よく行うことができるように構成されている。
【００２６】
また、液晶パネル２では、当該液晶パネル２の駆動制御を行う制御装置（図示せず）に接続されたＦＰＣ（Flexible Printed Circuit）８が設けられており、上記液晶層を画素単位に動作することで表示面を画素単位に駆動して、当該表示面上に所望画像を表示するようになっている。
【００２７】
尚、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００２８】
バックライト装置３は、光源としての発光ダイオード９と、発光ダイオード９に対向して配置された導光板１０とを備えている。また、バックライト装置３では、断面Ｌ字状のベゼル１４により、導光板１０の上方に液晶パネル２が設置された状態で、発光ダイオード９及び導光板１０が狭持されている。また、カラーフィルタ基板４には、ケース１１が載置されている。これにより、バックライト装置３は、液晶パネル２に組み付けられて、当該バックライト装置３からの照明光が液晶パネル２に入射される透過型の液晶表示装置１として一体化されている。
【００２９】
導光板１０には、例えば透明なアクリル樹脂などの合成樹脂が用いられており、発光ダイオード９からの光が入光される。導光板１０の液晶パネル２と反対側（対向面側）には、反射シート１２が設置されている。また、導光板１０の液晶パネル２側（発光面側）には、レンズシートや拡散シートなどの光学シート１３が設けられており、導光板１０の内部を所定の導光方向（図１の左側から右側への方向）に導かれた発光ダイオード９からの光が均一な輝度をもつ平面状の上記照明光に変えられて液晶パネル２に与えられる。
【００３０】
尚、上記の説明では、導光板１０を有するエッジライト型のバックライト装置３を用いた構成について説明したが、本実施形態はこれに限定されるものではなく、直下型のバックライト装置を用いてもよい。また、発光ダイオード以外の冷陰極蛍光管や熱陰極蛍光管などの他の光源を有するバックライト装置も用いることができる。
【００３１】
次に、図２及び図３も参照して、本実施形態の液晶パネル２について具体的に説明する。
【００３２】
図２は、図１に示した液晶パネルの構成を説明する図である。図３は、上記液晶パネルの要部構成を示す断面図である。
【００３３】
図２において、液晶表示装置１（図１）には、文字や画像等の情報を表示する上記表示部としての液晶パネル２（図１）の駆動制御を行うパネル制御部１５と、このパネル制御部１５からの指示信号を基に動作するソースドライバ１６及びゲートドライバ１７が設けられている。
【００３４】
パネル制御部１５は、上記制御装置内に設けられたものであり、液晶表示装置１の外部からの映像信号が入力されるようになっている。また、パネル制御部１５は、入力された映像信号に対して所定の画像処理を行ってソースドライバ１６及びゲートドライバ１７への各指示信号を生成する画像処理部１５ａと、入力された映像信号に含まれた１フレーム分の表示データを記憶可能なフレームバッファ１５ｂとを備えている。そして、パネル制御部１５が、入力された映像信号に応じて、ソースドライバ１６及びゲートドライバ１７の駆動制御を行うことにより、その映像信号に応じた情報が液晶パネル２に表示される。
【００３５】
ソースドライバ１６及びゲートドライバ１７は、アクティブマトリクス基板５上に設置されている。具体的には、ソースドライバ１６は、アクティブマトリクス基板５の表面上において、表示パネルとしての液晶パネル２の有効表示領域Ａの外側領域で当該液晶パネル２の横方向に沿うように設置されている。また、ゲートドライバ１７は、アクティブマトリクス基板５の表面上において、上記有効表示領域Ａの外側領域で当該液晶パネル２の縦方向に沿うように設置されている。
【００３６】
また、ソースドライバ１６及びゲートドライバ１７は、液晶パネル２側に設けられた複数の画素Ｐを画素単位に駆動する駆動回路であり、ソースドライバ１６及びゲートドライバ１７には、複数のソース配線Ｓ１〜ＳＭ（Ｍは、２以上の整数、以下、“Ｓ”にて総称する。）及び複数のゲート配線Ｇ１〜ＧＮ（Ｎは、２以上の整数、以下、“Ｇ”にて総称する。）がそれぞれ接続されている。これらのソース配線Ｓ及びゲート配線Ｇは、それぞれデータ配線及び走査配線を構成しており、アクティブマトリクス基板５に含まれた後述の基板本体上で互いに交差するように、マトリクス状に配列されている。すなわち、ソース配線Ｓは、マトリクス状の列方向（液晶パネル２の縦方向）に平行となるように上記基板本体上に設けられ、ゲート配線Ｇは、マトリクス状の行方向（液晶パネル２の横方向）に平行となるように上記基板本体上に設けられている。
【００３７】
また、これらのソース配線Ｓと、ゲート配線Ｇとの交差部の近傍には、本発明の半導体装置を用いた画素電極用のスイッチング素子１８と、スイッチング素子１８に接続された画素電極１９を有する上記画素Ｐが設けられている。また、各画素Ｐでは、共通電極２０が液晶パネル２に設けられた上記液晶層を間に挟んだ状態で画素電極１９に対向するよう構成されている。すなわち、アクティブマトリクス基板５では、スイッチング素子１８、画素電極１９、及び共通電極２０が画素単位に設けられている。
【００３８】
また、アクティブマトリクス基板５では、ソース配線Ｓと、ゲート配線Ｇとによってマトリクス状に区画された各領域に、複数の各画素Ｐの領域が形成されている。これら複数の画素Ｐには、赤色（Ｒ）、緑色（Ｇ）、及び青色（Ｂ）の画素が含まれている。また、これらのＲＧＢの画素は、例えばこの順番で、各ゲート配線Ｇ１〜ＧＮに平行に順次配設されている。さらに、これらのＲＧＢの画素は、カラーフィルタ基板４側に設けられた後述のカラーフィルタ層により、対応する色の表示を行えるようになっている。
【００３９】
また、アクティブマトリクス基板５では、ゲートドライバ１７は、画像処理部１５ａからの指示信号に基づいて、ゲート配線Ｇ１〜ＧＮに対して、対応するスイッチング素子１８のゲート電極をオン状態にする走査信号（ゲート信号）を順次出力する。また、ソースドライバ１６は、画像処理部１５ａからの指示信号に基づいて、表示画像の輝度（階調）に応じたデータ信号（電圧信号（階調電圧））を対応するソース配線Ｓ１〜ＳＭに出力する。
【００４０】
また、図３に示すように、液晶表示装置１では、上記液晶層ＬＳが互いに対向して配置されたカラーフィルタ基板４とアクティブマトリクス基板５との間に設けられている。また、カラーフィルタ基板４及びアクティブマトリクス基板５には、例えば透明なガラス材、または透明な合成樹脂材からなる基板本体４ａ及び基板本体５ａがそれぞれ含まれている。
【００４１】
また、アクティブマトリクス基板５では、図３に例示するように、スイッチング素子１８の近傍では、データ線Ｓ及びゲート電極１８ｇと、ゲート電極１８ｇを覆うように形成された絶縁膜２１とが、基板本体５ａ上に設けられている。さらに、絶縁膜２１の上方には、スイッチング素子１８の半導体層１８ａ、コンタクト層１８ｂ、１８ｃ、ソース電極１８ｓ及びドレイン電極１８ｄ、保護膜２２、層間絶縁膜２３、画素電極１９、及び配向膜２４が順次積層されている。
【００４２】
また、カラーフィルタ基板４では、その基板本体４ａ上にブラックマトリクスＢＭ、ＲＧＢのいずれかのカラーフィルタ層２５、及び隣接する画素Ｐのカラーフィルタ層２５’が形成されている。また、互いに異なる色のカラーフィルタ層２５、２５’上には、共通電極２０及び配向膜２６が順次積層されている。
【００４３】
次に、図４を参照して、カラーフィルタ基板４及びアクティブマトリクス基板５に形成された上記判定用枠線について具体的に説明する。
【００４４】
図４（ａ）は、図１に示したカラーフィルタ基板に設けられた判定用枠線の具体例を示す平面図であり、図４（ｂ）は、図１に示したアクティブマトリクス基板に設けられた判定用枠線の具体例を示す平面図である。
【００４５】
図４（ａ）に例示するように、カラーフィルタ基板４では、その基板本体４ａ上において、当該カラーフィルタ基板４の外形を判定可能な３つの判定用枠線３０ａ、３０ｂ、３０ｃが形成されている。これらの判定用枠線３０ａ、３０ｂ、３０ｃは、各々、カラーフィルタ基板４の正規の外形ライン（すなわち、当該カラーフィルタ基板４の外周、図４（ａ）に一番外側の枠線にて図示）から所定の寸法内側に設けられている。具体的にいえば、判定用枠線３０ａ、３０ｂ、３０ｃは、それぞれ上記外周から３０μｍ、６０μｍ、９０μｍ内側に設けられている。
【００４６】
また、これらの判定用枠線３０ａ、３０ｂ、３０ｃは、例えばカラーフィルタ基板４に設置される設置物としてのブラックマトリクスＢＭと同一材料によって形成されており、しかも判定用枠線３０ａ、３０ｂ、３０ｃは、ブラックマトリクスＢＭと同時にカラーフィルタ基板４上に形成されている。尚、判定用枠線３０ａ、３０ｂ、３０ｃの各線幅は、例えば３μｍ〜５μｍ程度の寸法に設定されている。
【００４７】
また、図４（ｂ）に例示するように、アクティブマトリクス基板５では、その基板本体５ａ上において、当該アクティブマトリクス基板５の外形を判定可能な３つの判定用枠線３１ａ、３１ｂ、３１ｃが形成されている。これらの判定用枠線３１ａ、３１ｂ、３１ｃは、各々、アクティブマトリクス基板５の正規の外形ライン（すなわち、当該アクティブマトリクス基板５の外周、図４（ｂ）に一番外側の枠線にて図示）から所定の寸法内側に設けられている。具体的にいえば、判定用枠線３１ａ、３１ｂ、３１ｃは、それぞれ上記外周から３０μｍ、６０μｍ、９０μｍ内側に設けられている。
【００４８】
また、これらの判定用枠線３１ａ、３１ｂ、３１ｃは、例えばアクティブマトリクス基板５に設置される設置物としてのソース配線Ｓと同一材料によって形成されており、しかも判定用枠線３１ａ、３１ｂ、３１ｃは、ソース配線Ｓと同時にアクティブマトリクス基板５上に形成されている。尚、判定用枠線３１ａ、３１ｂ、３１ｃの各線幅は、例えば３μｍ〜５μｍ程度の寸法に設定されている。
【００４９】
ここで、図５も参照して、本実施形態の液晶パネル２の製造方法について具体的に説明する。尚、以下の説明では、判定用枠線の形成工程とこの判定用枠線を用いた検査工程について主に説明する。
【００５０】
図５は、上記液晶パネルの製造方法の要部工程を示すフローチャートである。
【００５１】
図５のステップＳ１に示すように、液晶パネル２では、カラーフィルタ基板４及びアクティブマトリクス基板５の各々において、対応する判定用枠線３０ａ、３０ｂ、３０ｃ及び判定用枠線３１ａ、３１ｂ、３１ｃを形成する形成工程が行われる。この形成工程では、例えばマザー基板（マザーガラス）に一体的に形成されている、複数の液晶パネル２分に相当する複数のカラーフィルタ基板４、または複数のアクティブマトリクス基板５に対して、対応する判定用枠線３０ａ、３０ｂ、３０ｃ及び判定用枠線３１ａ、３１ｂ、３１ｃの形成が同時に行われるようになっている。
【００５２】
また、この形成工程では、上述したように、判定用枠線３０ａ、３０ｂ、３０ｃは、カラーフィルタ基板４の設置物としてのブラックマトリクスＢＭと同一材料によって同時に形成されている。また、判定用枠線３１ａ、３１ｂ、３１ｃは、アクティブマトリクス基板５の設置物としてのソース配線Ｓと同一材料によって同時に形成されている。
【００５３】
その後、液晶パネル２では、スクライブ分断などを行うことにより、１枚単位のカラーフィルタ基板４、または複数のアクティブマトリクス基板５が形成される。
【００５４】
そして、図５のステップＳ２に示すように、液晶パネル２では、カラーフィルタ基板４及びアクティブマトリクス基板５の各々において、対応する判定用枠線３０ａ、３０ｂ、３０ｃ及び判定用枠線３１ａ、３１ｂ、３１ｃを用いて、外形の検査が行われる。すなわち、カラーフィルタ基板４及びアクティブマトリクス基板５の各々において、その外形寸法が適切なものかどうかが判定され、さらには外周部分に部分的な欠陥が生じていないかどうかについて判定される。
【００５５】
以上のように構成された本実施形態の液晶パネル２では、カラーフィルタ基板４において、その外周から所定の寸法内側に設けられるとともに、当該カラーフィルタ基板４の外形を判定可能な判定用枠線３０ａ、３０ｂ、３０ｃが形成されている。また、アクティブマトリクス基板５において、その外周から所定の寸法内側に設けられるとともに、当該アクティブマトリクス基板５４の外形を判定可能な判定用枠線３１ａ、３１ｂ、３１ｃが形成されている。これにより、本実施形態の液晶パネル２では、上記従来例と異なり、カラーフィルタ基板４及びアクティブマトリクス基板５において、これらの各基板の外形部分に発生した部分的な欠陥を容易に検出することができる。
【００５６】
また、本実施形態の液晶パネル２では、カラーフィルタ基板４またはアクティブマトリクス基板５の外周部分に欠け、割れ、あるいはバリなどの部分的な欠陥が発生したときでも、対応する判定用枠線３０ａ、３０ｂ、３０ｃ及び判定用枠線３１ａ、３１ｂ、３１ｃを使用することにより、発生した部分的な欠陥のサイズ判定を容易に行うことができる。
【００５７】
また、本実施形態の液晶パネル２では、カラーフィルタ基板４及びアクティブマトリクス基板５の各々において、基板の外形寸法を是正するために、切削などを行う場合、対応する判定用枠線３０ａ、３０ｂ、３０ｃ及び判定用枠線３１ａ、３１ｂ、３１ｃを用いることにより、顕微鏡などによる外形測長などを行うことなく、適切な切削量にて外形寸法の是正作業を実施することができる。
【００５８】
また、本実施形態の液晶パネル２では、カラーフィルタ基板４において、判定用枠線３０ａ、３０ｂ、３０ｃがブラックマトリクス（設置物）ＢＭと同時に形成されている。また、アクティブマトリクス基板５において、判定用枠線３１ａ、３１ｂ、３１ｃがソース配線（設置物）Ｓと同時に形成されている。これにより、本実施形態では、製造簡単な液晶パネル２を構成することができるとともに、液晶パネル２の製造工程を簡略化することができる。
【００５９】
尚、上記の説明では、カラーフィルタ基板４において、判定用枠線３０ａ、３０ｂ、３０ｃとブラックマトリクスＢＭとを同時に形成し、アクティブマトリクス基板５において、判定用枠線３１ａ、３１ｂ、３１ｃとソース配線（設置物）Ｓと同時に形成した。しかしながら、本実施形態の液晶パネル２はこれに限定されるものではなく、カラーフィルタ基板４及びアクティブマトリクス基板５の各基板において、別の設置物と同時に対応する判定用枠線３０ａ、３０ｂ、３０ｃ及び判定用枠線３１ａ、３１ｂ、３１ｃを形成したり、これら判定用枠線３０ａ、３０ｂ、３０ｃ及び判定用枠線３１ａ、３１ｂ、３１ｃを別個に形成したりすることもできる。
【００６０】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００６１】
例えば、上記の説明では、液晶パネルのカラーフィルタ基板及びアクティブマトリクス基板に適用した場合について説明したが、本発明は、基板を備えるとともに、情報を表示する表示パネルにおいて、基板に、その外周から所定の寸法内側に設けられるとともに、当該基板の外形を判定可能な判定用枠線を形成したものであれば何等限定されない。具体的にいえば、例えば半透過型や反射型などの他の形式の液晶パネル、ＰＤＰ（Plasma Display Panel）、あるいは有機ＥＬ（Electronic Luminescence）素子、無機ＥＬ素子、電界放出ディスプレイ（Field Emission Display）などの各種表示パネルに用いられる基板に適用することができる。
【００６２】
また、上記の説明では、カラーフィルタ基板及びアクティブマトリクス基板の各々において、３つの判定用枠線を設けた場合について説明したが、本発明はこれに限定されるものではなく、判定用枠線の設置数や設置間隔などは上記のものに何等限定されない。
【００６３】
但し、上記実施形態のように、一つの基板において、外周からの寸法が互いに異なる複数の判定用枠線を形成する場合の方が、当該基板の外形検査を高精度に行うことができる点で好ましい。
【産業上の利用可能性】
【００６４】
本発明は、基板の外形部分に発生した部分的な欠陥を容易に検出することができる表示パネル、及びその製造方法に対して有用である。
【符号の説明】
【００６５】
２  液晶パネル（表示パネル）
４  カラーフィルタ基板（基板）
５  アクティブマトリクス基板（基板）
３０ａ、３０ｂ、３０ｃ、３１ａ、３１ｂ、３１ｃ  判定用枠線
Ｓ  ソース配線（設置物）
ＢＭ  ブラックマトリクス（設置物）
【図１】
2011059413.tif 000003
【図２】
2011059413.tif 000004
【図３】
2011059413.tif 000005
【図４】
2011059413.tif 000006
【図５】
2011059413.tif 000007